(57)【特許請求の範囲】
【請求項１】
無線ＬＡＮ通信部と制御部とを有する携帯端末であって、
前記無線ＬＡＮ通信部は、
１つのスキャン対象のアクセスポイントが記録されるスキャン対象アクセスポイント記憶部と、
前記スキャン対象のアクセスポイントをスキャンすることによって、当該スキャン対象のアクセスポイントを検出するアクセスポイントスキャン部と、
前記スキャン対象のアクセスポイントが検出されたことに応じて、当該スキャン対象のアクセスポイントとの通信を実行するデータ通信部と
を有し、
前記制御部は、
１以上のアクセスポイントが記録されるアクセスポイントリスト記憶部と、
前記１以上のアクセスポイントの内の自動起動対象の第１アクセスポイントが記録されるホームアクセスポイント記憶部と、
前記１以上のアクセスポイントの内の第２アクセスポイントを前記スキャン対象アクセスポイント記憶部に書き込んで、前記無線ＬＡＮ通信部に前記スキャンを指示する手動接続制御部と、
前記第２アクセスポイントとの接続に成功した場合、前記第２アクセスポイントが記録される接続中アクセスポイント記憶部と、
前記通信を行っていないときは、前記第１アクセスポイントを前記スキャン対象アクセスポイント記憶部に書き込み、前記通信中のときは、前記第２アクセスポイントを前記スキャン対象アクセスポイント記憶部に書き込むスキャン対象アクセスポイント制御手段と、
前記無線ＬＡＮ通信部に前記スキャンを指示する自動起動制御手段と
を有することを特徴とする携帯端末。
【請求項２】
無線ＬＡＮ通信部と制御部とを有する携帯端末であって、
前記無線ＬＡＮ通信部は、
１つのスキャン対象のアクセスポイントが記録されるスキャン対象アクセスポイント記憶部と、
前記スキャン対象のアクセスポイントをスキャンすることによって、当該スキャン対象のアクセスポイントを検出するアクセスポイントスキャン部と、
前記スキャン対象のアクセスポイントからの送信電波の受信電界強度を測定する受信電界強度測定部とを有し、
前記制御部は、
１以上のアクセスポイントが記録されるアクセスポイントリスト記憶部と、
前記１以上のアクセスポイントの内の自動起動対象の第１アクセスポイントが記録されるホームアクセスポイント記憶部と、
前記１以上のアクセスポイントの内の第２アクセスポイントを前記スキャン対象アクセスポイント記憶部に書き込み、前記無線ＬＡＮ通信部に前記スキャンを指示する手動接続制御部と、
前記第２アクセスポイントとの接続に成功した場合、前記第２アクセスポイントが記録される接続中アクセスポイント記憶部と、
前記携帯端末を低消費電力状態であるサスペンド状態に所定周期毎に起動するタイミング信号を発生するタイマーと、
前記タイマーにより所定周期毎に起動されて、前記受信電界強度が判定閾値に対して圏外状態であれば、前記第１アクセスポイントを前記スキャン対象アクセスポイント記憶部に書き込み、前記受信電界強度が前記判定閾値に対して圏内状態であれば、前記第２アクセスポイントを前記スキャン対象アクセスポイント記憶部に書き込むスキャン対象アクセスポイント制御手段と、
前記無線ＬＡＮ通信部に前記スキャンを指示する自動起動制御手段と
を有することを特徴とする携帯端末。
【請求項３】
前記アクセスポイントリスト記憶部には、ユーザ操作入力により前記１以上のアクセスポイントが優先度が指定されて記録され、
前記手動接続制御部は、前記１以上のアクセスポイントを前記優先度順に前記スキャン対象アクセスポイント記憶部に書き込んで、前記無線ＬＡＮ通信部に前記スキャンを指示する
ことを特徴とする請求項１記載の携帯端末。
【請求項４】
前記スキャン対象アクセスポイント制御手段が判断する前記圏外状態は、前記受信電界強度が前記判定閾値に対して圏外状態であることが所定時間連続した場合であることを特徴とする請求項２記載の携帯端末。
【請求項５】
前記スキャン対象アクセスポイント制御手段は、さらに、前記携帯端末を前記サスペンド状態にするためのサスペンド指示信号を出力し、
さらに、
前記アクセスポイントスキャン部がアクセスポイントを検出したとき、前記携帯端末を稼動状態であるレジューム状態にし、前記スキャン対象アクセスポイント制御手段からサスペンド指示信号を受けたとき、前記携帯端末をサスペンド状態にする電源制御部を
有することを特徴とする請求項２記載の携帯端末。
【請求項６】
複数のアクセスポイントに接続可能な携帯端末であって、
周期的にアクティブ状態にされ、前記アクティブ状態にされたとき、前記複数のアクセスポイントの内の１つの対象のアクセスポイントをスキャンし、スキャンしている間に、前記対象のアクセスポイントから受信された信号の強度を測定する第１部と、
前記第１部によるスキャンによって、前記対象のアクセスポイントが検出された後に、無線通信を実行する第２部と、
前記第１部によって測定された前記信号強度に基づいて、前記携帯端末が前記対象のアクセスポイントのサービスエリア圏外にあると判断された場合、前記複数のアクセスポイントの内の自動起動対象の第１アクセスポイントを前記対象のアクセスポイントとして指定し、前記スキャンによって前記第１アクセスポイントが検出された後に、前記第２部に電力を供給する制御部とを具備することを特徴とする携帯端末。
【請求項７】
操作部をさらに具備し、
前記対象のアクセスポイントが前記第１アクセスポイントでない場合、前記スキャンと前記無線通信とは、前記操作部で行われた操作に応じて手動で行われることができることを特徴とする請求項６記載の携帯端末。
【請求項８】
前記制御部は、前記複数のアクセスポイントの内のいずれが、前記対象のアクセスポイント及び前記第１アクセスポイントであるかを示す前記複数のアクセスポイントのリストを有することを特徴とする請求項６記載の携帯端末。
【請求項９】
前記制御部は、前記複数のアクセスポイントの順序を示す前記複数のアクセスポイントのリストを有し、前記スキャンは、前記順序に応じて手動で行われることができることを特徴とする請求項７記載の携帯端末。
【請求項１０】
前記制御部は、前記スキャン中に前記複数のアクセスポイントから受信される認証データに基づいて、前記複数のアクセスポイントの内のいずれが前記無線通信を行うためのパスワードを必要とするかを示すリストを有することを特徴とする請求項６記載の携帯端末。
【請求項１１】
前記携帯端末は、さらに、サスペンドされることに対応し、前記第１部は、サスペンド状態からの復帰に同期して周期的に前記アクティブ状態にされることを特徴とする請求項６記載の携帯端末。
【請求項１２】
前記制御部は、前記第１部によって測定された前記信号強度が、しきい値よりも繰り返し小さい場合、前記携帯端末が前記対象のアクセスポイントの前記サービスエリア圏外であると判断することを特徴とする請求項６記載の携帯端末。
【発明の詳細な説明】
【技術分野】
【０００１】
本発明は、Wake On Wireless LAN方式の無線ＬＡＮ通信部を搭載した携帯端末に関する。
【背景技術】
【０００２】
Wake On Wireless LAN方式の端末は、待機状態で、端末内に予め登録された無線ＬＡＮアクセスポイント（ＡＰ）の探索のためのＡＰスキャンを行い、端末が移動してＡＰのエリア内に入ってスキャンによりそのＡＰが検出できたときに、端末内のその他必要な部分を自動起動して無線ＬＡＮ通信を行うことにより、使用者の利便性を向上することができる。
【０００３】
このような自動起動方式の特許文献として、移動端末の電源制御方法及びシステムがある（例えば、特許文献１参照。）。この特許文献１の移動端末１は、スリープ時にも動作するビーコン信号認識部１０２を有し、ビーコン信号認識部１０２内にＡＰのＥＳＳＩＤ登録リストを有する。ビーコン信号認識部１０２は、ＡＰからのビーコン信号を受信すると、ビーコン信号中のＡＰのＥＳＳＩＤが、ＥＳＳＩＤ登録リストに登録されたＥＳＳＩＤと一致するかを判定し、いずれか１つと一致する場合、移動端末１全体を自動起動する。
【０００４】
ところで、端末が行うＡＰスキャンの方式としては、パッシブスキャンとアクティブスキャンがある。パッシブスキャンは、ＡＰのチャネルから来るビーコンフレームを取得して、ビーコンフレーム中のＡＰのＥＳＳＩＤを認識するものであるが、ＡＰがＥＳＳＩＤを隠蔽している場合もある。したがって、通常は、端末が自らＡＰに要求信号を送出してスキャンするアクティブスキャンが行われる。
【０００５】
アクティブスキャンについて次に説明する。  
図７は、無線ＬＡＮ通信のアクティブスキャンを説明する図である。端末の無線ＬＡＮ通信部のアクティブスキャンを実行するＡＰスキャン部は、ＡＰスキャン部のスキャン対象ＡＰリストに予め登録してあるＡＰを対象としてスキャンを実行する。スキャン対象ＡＰリストには、予め、ＡＰ１とＡＰ２が登録してあるものとする。
【０００６】
端末のＡＰスキャン部は、待機状態で動作可能となっており、まずＡＰ１を指定したProbe Req信号を１ｃｈ〜１３ｃｈで順次送信し、各ｃｈ毎にＡＰ１からの応答であるProbe Resp(1ch)〜Probe Resp (13ch)の受信待ちを行う。
【０００７】
端末のＡＰスキャン部は、この応答Probe Respの受信ができない場合は、次に、ＡＰ２を指定したProbe Req信号を１ｃｈ〜１３ｃｈで順次送信し、各ｃｈ毎にＡＰ２からの応答であるProbe Resp(1ch)〜Probe Resp (13ch)の受信待ちを行う。
【０００８】
端末がＡＰのエリア外にいる場合は、上記応答Probe Respは返って来ないので、端末のＡＰスキャン部は、ＡＰ１を指定した１ｃｈ〜１３ｃｈのスキャンとＡＰ２を指定した１ｃｈ〜１３ｃｈのスキャンとを１サイクルとして、２サイクル繰り返し、応答がない場合は、一旦休止して、所定時間後に再び、同様のスキャンを行い続ける。
【０００９】
端末がＡＰのエリアに入って、端末のProbe Req信号を受信できたＡＰは、１ｃｈ〜１３ｃｈの内、通信可能な空きｃｈで、応答信号Probe Respを返す。端末のＡＰスキャン部は、Probe Respを受信し、Probe Resp中のＡＰのＥＳＳＩＤを認識した時点でスキャンを終了して、端末全体を起動させて、ＡＰとの間で無線ＬＡＮの通信手順に移行する。
【００１０】
このように、端末のＡＰスキャン部は、スキャン対象ＡＰリストに登録してあるＡＰ分のスキャンを行い、端末が登録ＡＰのエリア内に入ったときに起動できるものであり、使用者の利便性が向上する。しかし、端末の消費電力の観点からは、Probe Req信号１ｃｈ分の送信に例えば３００ｍＡの電流、受信待ちに２００ｍＡの電流とかなり大きな消費電力であり、これを１ｃｈ〜１３ｃｈに対して行い、さらに、スキャン対象ＡＰリストに登録してあるＡＰの数に比例して増える。したがって、スキャン対象ＡＰリストへのＡＰ登録数が増えると、使用者の利便性は上がるが、消費電力が増えるという相反する問題がある。
【先行技術文献】
【特許文献】
【００１１】
【特許文献１】特開２００６−２１０９９３号公報（頁９〜１２、図１、図２）
【発明の概要】
【発明が解決しようとする課題】
【００１２】
端末の使用者にとっては、無線ＬＡＮ通信を自動起動または手動起動のいずれでも行える必要がある。使用者が、自動起動対象のＡＰとして省電力のためにＡＰ１のみを登録操作した場合、無線ＬＡＮ通信部を制御する端末内の上位のアプリケーション部分である主制御部は、無線ＬＡＮ通信部のスキャン対象ＡＰリストに、ＡＰ１のみを設定する。
【００１３】
あるいは、使用者が、自動起動対象の登録ＡＰ１以外のＡＰ２と手動起動で通信したい状況が発生して、ＡＰ２との間の手動起動操作を行った場合、主制御部は、無線ＬＡＮ通信部のスキャン対象ＡＰリストに、ＡＰ２を設定する。
【００１４】
無線ＬＡＮ通信部のスキャン対象ＡＰリストには、複数個のＡＰを登録することができるが、省電力の観点からは、１個のみが望ましい。無線ＬＡＮ通信部は、単純に、スキャン対象ＡＰリストに登録されているＡＰ全てに対してスキャンを行うものであり、そのＡＰが上位の主制御部により自動起動用または手動起動用として設定されたものであるかの認識はしていない。無線ＬＡＮ通信部は、該当ＡＰを検出したら、スキャン対象ＡＰ検出信号を主制御部に送出し、これを受けた主制御部は自動起動か手動起動かに応じた処理を行うものである。
【００１５】
したがって、使用者は、手動起動を行った場合には、無線ＬＡＮ通信部のスキャン対象ＡＰリストの内容が変わってしまうので、自動起動対象のＡＰ登録を再度やり直す必要が生じ、使用者の利便性が低下してしまうという問題がある。
【００１６】
特許文献１の移動端末では、自動起動対象のＡＰを登録する記載はあるが、手動起動対象のＡＰの登録に関する記載はない。
【００１７】
本発明では、携帯端末の省電力化のために、無線ＬＡＮ通信部のスキャン対象ＡＰリストに設定するＡＰの個数を１個とし、このことにより発生する利便性の低下を抑えることができる携帯端末を提供することを目的とする。
【課題を解決するための手段】
【００１８】
上記目的を達成するために、本発明の携帯端末は、無線ＬＡＮ通信部と制御部とを有する携帯端末であって、前記無線ＬＡＮ通信部は、１つのスキャン対象のアクセスポイントが記録されるスキャン対象アクセスポイント記憶部と、前記スキャン対象のアクセスポイントをスキャンすることによって、当該スキャン対象のアクセスポイントを検出するアクセスポイントスキャン部と、前記スキャン対象のアクセスポイントが検出されたことに応じて、当該スキャン対象のアクセスポイントとの通信を実行するデータ通信部とを有し、前記制御部は、１以上のアクセスポイントが記録されるアクセスポイントリスト記憶部と、前記１以上のアクセスポイントの内の自動起動対象の第１アクセスポイントが記録されるホームアクセスポイント記憶部と、前記１以上のアクセスポイントの内の第２アクセスポイントを前記スキャン対象アクセスポイント記憶部に書き込んで、前記無線ＬＡＮ通信部に前記スキャンを指示する手動接続制御部と、前記第２アクセスポイントとの接続に成功した場合、前記第２アクセスポイントが記録される接続中アクセスポイント記憶部と、前記通信を行っていないときは、前記第１アクセスポイントを前記スキャン対象アクセスポイント記憶部に書き込み、前記通信中のときは、前記第２アクセスポイントを前記スキャン対象アクセスポイント記憶部に書き込むスキャン対象アクセスポイント制御手段と、前記無線ＬＡＮ通信部に前記スキャンを指示する自動起動制御手段とを有することを特徴とする。
【発明の効果】
【００１９】
本発明によれば、無線ＬＡＮ通信において、省電力のために、端末の無線ＬＡＮ通信部のスキャン対象ＡＰリストに登録するＡＰの個数を１個とし、さらに、端末の使用者が登録する自動起動対象のホームＡＰ登録と、端末の使用者が手動で起動する対象のＡＰ登録に対して、無線ＬＡＮ通信部のスキャン対象ＡＰリストへのＡＰ登録をダイナミックに変えることにより、使用者が自動起動対象のホームＡＰ登録をやり直すことが不要となって利便性と省電力化を向上することができる。
【図面の簡単な説明】
【００２０】
【図１】本発明の実施例に係る無線ＬＡＮ通信のシステム図。
【図２】本発明の実施例に係る携帯端末１００の関連部のブロック図。
【図３】本発明の実施例に係る携帯端末１００のＡＰ登録設定を説明する図。
【図４】本発明の実施例に係る携帯端末１００の無線ＬＡＮ設定機能２の動作フローチャート
【図５】本発明の実施例に係る携帯端末１００のサスペンド起動処理機能１０（スキャン対象ＡＰ制御手段）の動作フローチャート。
【図６】本発明の実施例に係る携帯端末１００の電源制御部４０が他のブロックの消費電力状態を制御する状態遷移図
【図７】無線ＬＡＮ通信のアクティブスキャンを説明する図。
【発明を実施するための形態】
【００２１】
図１は、本発明の実施例に係る無線ＬＡＮ通信のシステム図である。２個のアクセスポイントのＡＰ２０１、ＡＰ２０２を例として示し、携帯端末１００がこのＡＰ間を移動する様子を示す。本発明の携帯端末１００の内部には、予めユーザにより、自動起動対象ＡＰ（ホームＡＰ）としてＡＰ２０１（ＡＰ−Ａ）が登録されているとする。携帯端末１００は圏外においてもＡＰ２０１に対するＡＰスキャンを行い、携帯端末１００が移動してＡＰ２０１（ＡＰ−Ａ）圏内に入ると、携帯端末１００は自動起動する。
【００２２】
また、携帯端末１００がＡＰ２０２（ＡＰ−Ｃ）のサービスエリア圏内に入って、ユーザにより手動接続により、ＡＰ２０２（ＡＰ−Ｃ）と手動で通信することができる。
【００２３】
次に、携帯端末１００の内部構成について説明する。  
図２は、本発明の実施例に係る携帯端末１００の関連部のブロック図である。携帯端末１００は、制御部１、無線ＬＡＮカード２０（無線ＬＡＮ通信部。無線ＬＡＮ下位層）、アンテナ３０、電源制御部４０、表示部５０、入力部６０などから構成される。
【００２４】
［制御部１］
制御部１は、図示しないＣＰＵ、ＲＯＭ、ＲＡＭなどから構成され、ＲＯＭに記憶されているソフトウェアに基づいて、無線ＬＡＮ設定機能２、サスペンド起動処理機能１０（スキャン対象ＡＰ制御手段）、データ送受信機能１２（無線ＬＡＮ通信の上位層）などを実行する。さらに、ＡＰリスト記憶部３、サスペンドタイマー１１を有する。
【００２５】
無線ＬＡＮ設定機能２は、あと（図３、図４）で詳しく説明するが、入力部６０のユーザ操作に基づいてＡＰのリスト登録、自動起動対象のホームＡＰ登録を行い、ＡＰリスト記憶部３中にホームＡＰとして記録する。また、データ送受信機能１２からの接続成功ＡＰ情報により、ＡＰリスト記憶部３中に接続中ＡＰとして記録する。また、ユーザ操作に基づき、自動起動のＷＯＷの指示、手動接続指示などを行う。
【００２６】
無線ＬＡＮ設定機能２は、手動接続の場合は、ユーザにより登録されたＡＰリスト記憶部３中のＡＰリストの複数のＡＰを、無線ＬＡＮカードのスキャン対象ＡＰ記憶部２４に順次書き込んで、無線ＬＡＮカード２０に無線ＬＡＮ接続を行わせる。
【００２７】
無線ＬＡＮ設定機能２は、自動起動のＷＯＷを指示する場合は、自動起動対象のホームＡＰを、直接、無線ＬＡＮカードのスキャン対象ＡＰ記憶部２４に書き込むのではない。サスペンドタイマー１１で周期的に起動されるサスペンド起動処理機能１０が、状況を判断してダイナミックに、ＡＰリスト記憶部３の中のホームＡＰ、又は、接続中ＡＰをスキャン対象ＡＰ記憶部２４に書き込む。このサスペンド起動処理機能１０については、あと（図５）で詳しく説明する。
【００２８】
データ送受信機能１２は、無線ＬＡＮ通信の上位層であり、スキャンしたＡＰからのセキュリティ認証情報を出力する。また、無線ＬＡＮ接続に成功したときに、当該成功したＡＰを接続成功ＡＰとして出力する。また、無線ＬＡＮ通信の送受信終了情報を出力する。
【００２９】
［無線ＬＡＮカード２０］
無線ＬＡＮカード２０は、無線ＬＡＮ通信の下位層を処理する部分であり、データ通信部２１、ＲＳＳＩ測定部２２、ＡＰスキャン部２３、スキャン対象ＡＰ記憶部２４などを有する。アンテナ３０は、無線ＬＡＮ通信の図示しないアクセスポイントとの間で、無線信号の送受を行う。
【００３０】
スキャン対象ＡＰ記憶部２４は、アクセスポイントスキャンの対象となるアクセスポイント名を１個乃至複数個記憶する領域を有する。本発明では、制御部１は、スキャン対象ＡＰ記憶部２４に対して、１個のアクセスポイント名のみを設定記録することで省電力を行う。
【００３１】
ＲＳＳＩ測定部２２は、アクセスポイントからの送信電波の受信電界強度を測定し、ＲＳＳＩ信号を制御部１のサスペンド起動処理機能１０へ送出する。
【００３２】
ＡＰスキャン部２３は、スキャン対象ＡＰ記憶部２４に記録された１個乃至複数個のアクセスポイントに対してスキャンを行う。本発明では、１個しか記録されていないので、この１個のアクセスポイントに対してスキャンを行うことで省電力が図れる。この１個のアクセスポイントが検出できたら、対象ＡＰ検出信号を電源制御部４０へ送出する。この対象ＡＰ検出信号は、携帯端末１００全体を無線ＬＡＮ通信可能な状態に起動するための信号として使われる。
【００３３】
データ通信部２１は、ＡＰスキャン部２３のスキャン検出後にアクティブとなって、スキャン以降のデータ通信処理を行う。
【００３４】
次に、無線ＬＡＮカード２０の消費電力状態について説明する。無線ＬＡＮカード２０は、電源制御部４０からの停止／スキャン／アクティブ信号により制御されて、３つの状態、すなわち、消費電力がほぼ零で何も行わない停止状態と、低消費電力のスキャン状態と、全体が動作するアクティブ状態の３つの状態を取りうる。
【００３５】
停止状態は、無線ＬＡＮを行わない場合に無線ＬＡＮカード２０に電源供給されない状態である。スキャン状態は、ＲＳＳＩ測定部２２、ＡＰスキャン部２３、スキャン対象ＡＰ記憶部２４に電源供給されて、アクセスポイントに対してスキャンを行う状態である。スキャン対象ＡＰ記憶部２４は不揮発性メモリである。このスキャン状態で動作するＲＳＳＩ測定部２２、ＡＰスキャン部２３、スキャン対象ＡＰ記憶部２４は共通のＩＣチップ内に構成してもよい。アクティブ状態は、データ通信部２１を含めた全体に電源供給されて、スキャン以降のデータ通信処理を行う状態である。
【００３６】
なお、各構成要素への電源供給を制御することで３つの状態を切り替えたが、各構成要素を禁止／許可するなどの方法で、３つの状態を切り替えてもよい。また、３つの状態に限らず、さらに構成要素毎に分けるような多くの状態を設けてもよい。  
また、無線ＬＡＮカード２０は、カードでなくても、内蔵でもよい。
【００３７】
無線ＬＡＮカード２０の停止／スキャン／アクティブ状態を制御する電源制御部４０は常時動作可能である。
【００３８】
図３は、本発明の実施例に係る携帯端末１００のＡＰ登録設定を説明する図であり、（Ａ）は表示部５０の画面表示図、（Ｂ）は（Ａ）に表示された各種ＡＰ情報を記憶するＡＰリスト記憶部３を説明する図である。
【００３９】
図３の（Ａ）で、符号５０番台は表示部、符号６０番台はタッチパネル式の入力部である。表示部には、この例では、５個のアクセスポイントに関して、優先順位５０ａ欄、接続名（ＡＰ名）５０ｂ欄、ステータス５０ｃ欄が表示される。
【００４０】
優先順位５０ａ欄は、ユーザが無線ＬＡＮ通信の手動起動を行った場合に、手動無線ＬＡＮ起動機能５が優先順位５０ａ欄の順番でアクセスポイントに接続しに行くものである。この優先順位５０ａ欄は、予め、ユーザが無線ＬＡＮ設定機能２により、任意の順番を設定するものである。
【００４１】
接続名（ＡＰ名）５０ｂ欄には、ＡＰリスト記憶部３（不揮発性メモリ）に記録された１乃至複数のアクセスポイント名（例えば、ＡＰ−Ａ、ＡＰ−Ｂ、ＡＰ−Ｃ、ＡＰ−Ｄ、ＡＰ−Ｅの５個）が表示される。ＡＰリスト記憶部３へのＡＰの記録は、過去、無線ＬＡＮ通信をおこなったＡＰ履歴が記録されるようにしてもよいし、ユーザが手動で入力するようにしてもよい。
【００４２】
ステータス５０ｃ欄には、各ＡＰのステータス情報が表示される。ホームＡＰアイコンは、複数のＡＰリスト中から、ユーザ操作により自動起動対象のＡＰとして選択されたＡＰ−Ａの欄に表示される。アンテナアイコンは、無線ＬＡＮカード２０からのＲＳＳＩ信号に応じてアンテナマークが表示される。鍵アイコンは、ＡＰスキャンが行われて、ＡＰから送信されたセキュリティ認証情報に基づいて、鍵マークが表示される。鍵アイコンが表示されたＡＰとは無線ＬＡＮ接続が拒否されており、パスワードがないと通信することができない。
【００４３】
図３の（Ｂ）は、ＡＰリスト記憶部３の内容を表し、図３の（Ａ）で説明した優先順位５０ａ、接続名（ＡＰ名）５０ｂ、ホームＡＰ（ＡＰ−Ａ）が記録される。また、無線ＬＡＮ接続が成功した時のＡＰが、この例では、ＡＰ−Ｃが接続中ＡＰとして記録される。
【００４４】
次に、図４により、無線ＬＡＮ設定機能２の処理について、図３も用いて説明する。  
図４は、本発明の実施例に係る携帯端末１００の無線ＬＡＮ設定機能２の動作フローチャートである。ユーザが無線ＬＡＮ通信モード操作を行うと、無線ＬＡＮ設定機能２が起動する。
【００４５】
無線ＬＡＮ設定機能２は、まず、無線ＬＡＮ−ＵＩ機能（ステップＳ１）が開始し、図３の（Ａ）の画面表示を行う。そして、入力６０ａ〜６０ｇの押下チェックを行う（ステップＳ２）。カーソル６０ａの操作が行われると、５個のＡＰ欄上でカーソル位置を上下させる（不図示）。
【００４６】
そして、ステップＳ２において、新規作成６０ｂボタン／変更６０ｃボタン／削除ボタン６０ｄボタン操作に基づき、カーソル位置のＡＰに対して、接続名（ＡＰ名）５０ｂ欄の新規作成／変更／削除を行う(ステップＳ３)。これは、一般的に行われるＵＩ操作であり、詳細を省略する。そして、ＡＰリスト記憶部３に優先順位、接続名（ＡＰ名）を記録する（ステップＳ４）。
【００４７】
ステップＳ２において、接続６０ｅボタンの押下が検出されると、手動接続機能（ステップＳ１０）が起動する。手動接続機能は、まず、優先順位５０ａ欄の順番でＡＰ名を、無線ＬＡＮカード２０のスキャン対象ＡＰ記憶部２４に順次設定し、無線ＬＡＮ手動開始信号を出力する（ステップＳ１１）。これを受けて、電源制御部４０は、無線ＬＡＮカード２０をアクティブ状態にし、無線ＬＡＮカード２０は、スキャンと接続処理を実行する。
【００４８】
データ送受信機能１２から接続成功ＡＰ信号を受信したら、例えば、それがＡＰ−Ｃ名であれば、それをＡＰリスト記憶部３に、接続中ＡＰとして記録する（ステップＳ１２）。
【００４９】
また、ＡＰスキャン時の各ＡＰからのＲＳＳＩを、ステータス５０ｃ欄にアンテナアイコンとして表示する（ステップＳ１３）。ＡＰスキャン時の各ＡＰからのセキュリティ認証情報により、ステータス５０ｃ欄に鍵アイコンを表示する（ステップＳ１４）。この例では、ＡＰ−Ａ、ＡＰ−Ｂ、ＡＰ−Ｄに鍵アイコンが表示され、パスワードがないと接続拒否される。
【００５０】
ステップＳ２において、ホームＡＰ登録ボタン６０ｇの押下が検出されると、その時点でカーソル表示されていたＡＰ、この例では、ＡＰ−Ａが自動起動対象のホームＡＰとして、ＡＰ−Ａのステータス５０ｃ欄にホームＡＰアイコン表示を行う（ステップＳ５）。ＡＰリスト記憶部３に、ＡＰ−ＡをホームＡＰとして記録する（ステップＳ６）。
【００５１】
そして、自動起動機能（ＷＯＷ）（ステップＳ２０）が起動する。自動起動機能（ＷＯＷ）は、ＷＯＷ許可信号を出力する（ステップＳ２１）。これを受けて、電源制御部４０は、無線ＬＡＮカード２０をスキャン状態にし、制御部１をスリープ状態にする。  
ただし、無線ＬＡＮ設定機能２は、ＡＰリスト記憶部３にユーザ登録されたホームＡＰ（ＡＰ−Ａ）を、直接、無線ＬＡＮカード２０のスキャン対象ＡＰ記憶部２４に記録することは行わない。ＡＰリスト記憶部３にユーザ登録されたホームＡＰ（ＡＰ−Ａ）を無線ＬＡＮカード２０のスキャン対象ＡＰ記憶部２４に記録する処理は、サスペンド処理機能１０が行う。
【００５２】
このサスペンド処理機能１０について、次に説明する。  
図５は、本発明の実施例に係る携帯端末１００のサスペンド処理機能１０の動作フローチャートである。サスペンド起動処理機能１０は、サスペンドタイマー１１からの定期的な、例えば５分周期のトリガ信号により、本来は、定期的に、稼動中（レジューム状態）の携帯端末を低消費電力のサスペンド状態にするための機能であるが、本発明では、それに加えて、無線ＬＡＮカード２０内のスキャン対象ＡＰ記憶部２４へのダイナミックなＡＰ設定を制御するスキャン対象ＡＰ制御手段として機能する。
【００５３】
サスペンドタイマー１１のトリガ信号およびサスペンド起動処理機能１０は、携帯端末の各種状態とは無関係に非同期に発生し、アクセスポイントの圏内で発生することもあるし、圏外の状態で発生することもある。
【００５４】
サスペンド起動処理機能１０は、サスペンドタイマー１１により割込み起動されると、まず、無線ＬＡＮ設定機能２からのＷＯＷの許可信号をチェックする（ステップＳ５１）。
【００５５】
これが、ＷＯＷ禁止状態であれば、無線ＬＡＮカード２０を動かす必要はないので、電源制御部４０にＷＯＷ禁止を出す（ステップＳ５９）。電源制御部４０は、無線ＬＡＮカード２０を停止状態にする。
【００５６】
ステップＳ５１でＷＯＷ許可状態であれば、無線ＬＡＮカード２０からのＲＳＳＩ信号により圏内／圏外判断を行う（ステップＳ５２）。これが圏内であれば、ＡＰリスト記憶部３の接続中ＡＰ名をスキャン対象ＡＰ記憶部２４に記録する（ステップＳ５３）。
【００５７】
ステップＳ５２で圏外であれば、ＡＰサービスエリア周縁部でのバタつきを考慮して、前回５分前の圏内／圏外状態がどうであったか記憶するフラグ（不図示）をチェックする(ステップＳ５５)。これが、前回５分前は圏内だったのであれば、完全な圏外にはまだなっていないと判断して、圏内と同じ処理の前述のステップＳ５３に入る。前回５分前も圏外であれば完全な圏外と判断して、ユーザ登録のＡＰリスト記憶部３に自動起動対象のホームＡＰが登録されているかをチェックする（ステップＳ５６）。登録されていれば、このホームＡＰを、無線ＬＡＮカード２０内のスキャン対象ＡＰ記憶部２４に記録する（ステップＳ５７）。ステップＳ５６で登録されていなければ、スキャン対象ＡＰ記憶部２４をクリアする。
【００５８】
すなわち、サスペンド起動処理機能１０は、所定周期で定期的に起動されるので、その度に、圏内圏外チェックを行い、圏内では、現在接続中の接続中ＡＰを、無線ＬＡＮカード２０内のスキャン対象ＡＰ記憶部２４に記録し、圏外では、無線ＬＡＮ通信中ではないので、ユーザ登録のホームＡＰを無線ＬＡＮカード２０内のスキャン対象ＡＰ記憶部２４に記録する。
【００５９】
これにより、実際にスキャンを行う無線ＬＡＮカード２０内のスキャン対象ＡＰ記憶部２４に対して、ユーザ登録のホームＡＰと、手動接続などで接続中の接続中ＡＰとがダイナミックに切替えることができる。
【００６０】
従来は、ユーザ登録のＷＯＷ用のホームＡＰはＵＩにより直接無線ＬＡＮカード２０内のスキャン対象ＡＰ記憶部２４に書き込まれていたので、これを手動接続時に、他のＡＰに切替えると、再度、ＷＯＷ用設定に戻すためには、ＵＩで再登録が必要となってしまっていた。
【００６１】
以上のステップＳ５３、Ｓ５７、Ｓ５８、Ｓ５９の処理で、無線ＬＡＮカード２０内のスキャン対象ＡＰ記憶部２４に対する制御を行い、その後、最後に、本来のサスペンド処理であるサスペンドへの移行を指示するために、電源制御部４０にサスペンド指示を出し（ステップＳ５４）、終了する。それを受けて、電源制御部４０は、携帯端末１００を低消費電力のサスペンド状態にする。
【００６２】
サスペンド起動処理機能１０は、本来、定期的に動作する機能であり、定期的に動作することにより、本発明の、圏内圏外状態をチェックすることができ、それにより、無線ＬＡＮカード２０内のスキャン対象ＡＰ記憶部２４へのダイナミックなＡＰ設定を制御することができるものである。
【００６３】
なお、ステップＳ５５で前回５分前の圏内／圏外状態がどうであったかをチェックしたが、この処理は削除して、ステップＳ５２の圏外から直接にステップＳ５６に入るようにしてもよい。
【００６４】
以上説明した処理により、図１において、携帯端末１００が、ユーザ登録の自動起動対象のホームＡＰ圏内、他の手動接続対象ＡＰ圏内、両ＡＰの圏外の領域を移動した場合に、どのように動作するかを説明する。  
ユーザは、予め、ＡＰリスト記憶部６にホームＡＰとしてＡＰ−Ａを登録してあるものとする。また、携帯端末１００が電源オンになった直後、ＡＰリスト記憶部６内のホームＡＰ（ＡＰ−Ａ）を無線ＬＡＮカード２０のスキャン対象ＡＰ記憶部２４にデフォルト設定しておくものとする。
【００６５】
携帯端末１００がＡＰ−Ａ圏内で電源オンになると、スキャン対象ＡＰ記憶部２４に記録されているＡＰ−Ａに対して、ＷＯＷが起動し、ＡＰ−Ａがスキャンで検出されて、携帯端末１００全体が自動起動する。
【００６６】
携帯端末１００が圏外エリアに移動すると、サスペンド起動処理機能１０により、ホームＡＰ（ＡＰ−Ａ）が無線ＬＡＮカード２０内のスキャン対象ＡＰ記憶部２４に記録され、無線ＬＡＮカード２０は、ホームＡＰ（ＡＰ−Ａ）に対するスキャンを行う。当然、ホームＡＰ（ＡＰ−Ａ）を検出することはできない。
【００６７】
携帯端末１００がＡＰ−Ｃ圏内に入り、ユーザが、無線ＬＡＮ通信を手動で行うと、ＡＰリスト記憶部３の優先度順で無線ＬＡＮ接続が行われ、結果として、ＡＰ−Ｃと接続される。そして、ＡＰ−Ｃ名が、ＡＰリスト記憶部３に接続中ＡＰとして記録される。
【００６８】
サスペンド起動処理機能１０は定期的に発生しており、このＡＰ−Ｃ圏内で度々発生すると、サスペンド起動処理機能１０は、圏内を検出し、ＡＰリスト記憶部３の接続中ＡＰ（ＡＰ−Ｃ）をスキャン対象ＡＰ記憶部２４に記録し、ＡＰ−Ｃとの間の通信が継続される。
【００６９】
その後、携帯端末１００が圏外エリアに移動すると、上記圏外エリアでの処理を行う。
【００７０】
本発明によれば、無線ＬＡＮカード２０が行うスキャン対象のＡＰを１個とすることにより、スキャンに伴う消費電力を低減する。そして、１個としたことによるユーザ利便性の低下を、所定の周期毎に起動されるサスペンド起動処理機能１０により、圏外中に、ユーザ設定のホームＡＰが再度、無線ＬＡＮカード２０内のスキャン対象ＡＰ記憶部に記録されるので、ユーザによるホームＡＰ登録をやり直す必要がなく、利便性が向上する。
【００７１】
次に、電源制御部４０の機能について説明する。  
図６は、本発明の実施例に係る携帯端末１００の電源制御部４０が他のブロックの消費電力状態を制御する状態遷移図である。図２も用いて、電源制御部４０の動作を説明する。本発明の主要部分ではないので、簡単に説明する。図２の電源制御部４０の入出力信号、および図６には、全ての遷移要因を図示していない。
【００７２】
図６の（Ａ）は、電源制御部４０が制御部１のスリープ状態とアクティブ状態の２つの状態を切り替える状態遷移図である。
【００７３】
電源制御部４０が制御部１のスリープ状態をアクティブ状態へと遷移させる要因の１つは、入力部６０からの「操作あり」信号であり、入力部６０に関連の無線ＬＡＮ設定機能２が動けるようになる。要因の２つ目は、サスペンドタイマー１１からの所定周期毎に発生するトリガ信号であり、関連のサスペンド起動処理機能１０が動けるようになる。要因の３つ目は、ＡＰスキャン部２３からの対象ＡＰ検出信号であり、対象ＡＰをスキャンして検出したあとの無線ＬＡＮ上位層の処理を行うデータ送受信を行うデータ送受信機能１２が動けるようになる。
【００７４】
電源制御部４０が制御部１のアクティブ状態からスリープ状態へと逆に遷移させる要因は、サスペンド起動処理機能１０からのサスペンド指示信号であり、所定周期毎にスリープ状態へと遷移させる。
【００７５】
図６の（Ｂ）は、電源制御部４０が無線ＬＡＮカード２０の停止状態とスキャン状態とアクティブ状態の３つの状態を切り替える状態遷移図である。
【００７６】
電源制御部４０が無線ＬＡＮカード２０の停止状態からスキャン状態へと遷移させる要因の１つは、無線ＬＡＮ設定機能２からのＷＯＷ設定許可信号であり、Wake On Wireless LANのために、無線ＬＡＮカード２０のスキャン動作が動ける状態になる。要因の２つ目は、無線ＬＡＮ設定機能２からのＷＯＷ禁止であり、例えば、ユーザがホームＡＰ登録を削除した場合などである。
【００７７】
電源制御部４０が無線ＬＡＮカード２０のスキャン状態から停止状態へと逆に遷移させる要因の１つ目は、無線ＬＡＮ設定機能２からのＷＯＷ禁止であり、無線ＬＡＮカード２０が停止する。要因の２つ目は、サスペンド起動処理機能１０からのＷＯＷ禁止であり、本来のサスペンド起動のための信号である。
【００７８】
電源制御部４０が無線ＬＡＮカード２０のスキャン状態からアクティブ状態へと遷移させる要因は、ＡＰスキャン部２３からの対象ＡＰ検出信号であり、無線ＬＡＮカード２０全体が動けるようになる。
【００７９】
電源制御部４０が無線ＬＡＮカード２０のアクティブ状態からスキャン状態へと逆に遷移させる要因は、データ送受信機能１２からの送受信終了信号であり、スキャン状態へと戻る。
【００８０】
なお、本発明の実施例においては、所定の周期毎に起動されるサスペンド起動処理機能１０により、上記処理を行ったが、例えば、手動無線ＬＡＮ起動機能５が、手動で起動した無線ＬＡＮ通信の終了をチェックして、終了時に、ＡＰリスト記憶部３のホームＡＰをスキャン対象ＡＰ記憶部２４に記録するようにしてもよい。
【００８１】
また、無線ＬＡＮカード２０内のスキャン対象ＡＰ記憶部２４には、１個のＡＰのみ記録することで省電力化したが、ユーザの利便性を考えて、２個を自動起動のスキャン対象として、その内の１個に対して、手動接続のＡＰを切替えるようにしてもよい。
【００８２】
また、無線ＬＡＮカード２０内のＡＰスキャン部２３は、スキャン対象ＡＰ記憶部２４に記録してあるＡＰ全てに対して、無条件でスキャンしてしまうが、これと別に、第２のスキャン対象ＡＰ記憶部を設けて、第１のスキャン対象ＡＰ記憶部２４には、ＷＯＷ用にＡＰを登録し、第２のスキャン対象ＡＰ記憶部には、手動接続用のＡＰを登録し、制御部１が無線ＬＡＮカード２０に対して、どちらのスキャン対象ＡＰ記憶部を使用するかを指示するようにしてもよい。
【符号の説明】
【００８３】
１  制御部
２  無線ＬＡＮ設定機能
３  ＡＰリスト記憶部
１０  サスペンド起動処理機能（スキャン対象ＡＰ制御手段）
１１  サスペンドタイマー
１２  データ送受信機能
２０  無線ＬＡＮカード２０（無線ＬＡＮ通信部）
２１  データ通信部
２２  ＲＳＳＩ測定部
２３  ＡＰスキャン部
２４  スキャン対象ＡＰ記憶部
３０  アンテナ
４０  電源制御部
５０  表示部
６０  入力部
１００  携帯端末
２０１、２０２  ＡＰ（アクセスポイント）
【図１】
0004834754.tif 000002
【図２】
0004834754.tif 000003
【図３】
0004834754.tif 000004
【図４】
0004834754.tif 000005
【図５】
0004834754.tif 000006
【図６】
0004834754.tif 000007
【図７】
0004834754.tif 000008